(57)【要約】【課題】取り付けたポンプディスペンサーが、ノズルヘッドを押圧によって、確実に内容物を注出可能とする包装容器を得る。【解決手段】剛性を有する容器本体（１）と、容器本体の上部に取り付けられるポンプディスペンサー（２）とから構成されており、ポンプディスペンサーは、ポンプ部（２０）および支持部材（２４）から構成され、ポンプ部の上部には下方へ向かって押し下げることにより内容液を注出可能なノズルヘッド（２１）を備え、容器本体の内部に配置され、該ポンプ部から下方に延伸し容器本体下部に到達する支持部材を備え、該支持部材下部からは、内容液の吸引、ポンプ部への送り出しが可能であって、該支持部材が当接する底面板（１６）は、ポンプ押圧の圧を底面板下方で受圧可能とする段差付受圧部（１６１）を有することを特徴とする包装容器。【選択図】図１
2019077495.tif 000002
【特許請求の範囲】
【請求項１】
内部と外部との気圧差がなくても、内容液の残存量によらず形状を維持できる程度の剛性を有する容器本体と、
該容器本体に、該容器本体の上部に形成された貫通孔に挿入されて取り付けられるポンプディスペンサーとから構成されており、
該ポンプディスペンサーは、ポンプ部および支持部材から構成されており、
該ポンプ部の上部には鉛直方向下方へ向かって押し下げることにより、内容液のくみ出しが可能なポンプヘッドと、それに接続するピストン、およびシリンダ部を備えており、
該ポンプディスペンサーが、該容器本体に取り付けられた状態において、該容器本体の内部に配置され、該ポンプ部から下方に延伸し、容器本体下部に到達する、支持部材を備え、
該支持部材下部からは、内容液の吸引、ポンプ部への送り出しが可能であって、
該支持部材が当接する底面板は、ポンプ押圧の圧を底面板下方で受圧可能とする段差付受圧部を有することを特徴とする包装容器。
【請求項２】
ポンプディスペンサーの吸引チューブ先端が、周囲に切り欠きのある筒形状を有することを特徴とする請求項１に記載の包装容器。
【請求項３】
底面板の段差付受圧部の外側周縁に、凸の段差を有していることを特徴とする請求項１又は２に記載の包装容器。
【請求項４】
底面板の段差付受圧部中心部に、受圧部周縁に対し凸の段差を有することを特徴とする請求項１〜３のいずれかに記載の包装容器。
【請求項５】
底面板の段差付受圧部の段差が、容器を構成する素材に対し、浮き上げ、浮き下げ、押し潰しなどのエンボスで形成される段差であることを特徴とする請求項１〜４のいずれかに記載の包装容器。
【請求項６】
底面板の段差付受圧部の段差が、容器の内面に融着した受け部材で形成したことを特徴とする請求項１〜４のいずれかに記載の包装容器。
【発明の詳細な説明】
【技術分野】
【０００１】
本発明は、主として、お酒、ジュース、乳酸飲料などの食品や、シャンプー、ボディソープ、住宅洗剤、液体肥料などの非食品などの液体を収納し、容器に設けたポンプディスペンサーで内容物を注出可能とする、包装容器に関する。
【背景技術】
【０００２】
従来、包装容器で、上方にポンプディスペンサーを取り付けようとすると、多くの問題が発生する。
例えば、包装容器が紙容器のような箱型の容器であって、天面側は、通常に使用されている切妻型屋根形のゲーベルトップ形状であると、ポンプディスペンサーを垂直に下方へ向けるには、傾斜させたフランジを用い、取り付け角度を合わせることが必要で、非常に煩雑であった。
天板側がフラットトップ形状であると、単純な形状のポンプディスペンサーのフランジを用いることができる。しかし、天面板の半分以下の非常に狭い範囲で固定する必要があり、小さなフランジを使用することになるので、ポンプディスペンサーの取り付け部の天板に力が無理に掛かり、変形しやすいなどの問題もあった。
特に天板側がフラットトップ形状であっても、ゲーベルトップであっても、ポンプディスペンサーで上端のノズルヘッドを押圧する圧力は大きく、紙容器のトップ面に直接圧が掛かるような構造はむずかしかった。
そこで、ポンプディスペンサーの支持部材先端が底面に当接して、底面板で圧を受ける方法が考えられた。
【０００３】
例えば、特許文献１では、平坦な面に置いて、ノズルヘッドを加圧し押圧を繰り返すことにより、容器内の液体をポンプに吸い込み、かつノズルから吐出する構造を有する液体用ポンプディスペンサーにおいて、その吸引ホースに硬質の材料を使用して、なおかつその長さをポンプディスペンサーの下端から容器の底面までの距離とほぼ一致させ、内容物を取り出す為にポンプディスペンサーが押された時、その力を容器の側面を通じてではなく、吸引ホースを通じて容器の底面で受ける様にし、容器の圧縮、破壊を防止できる様にしたポンプディスペンサーを提案している。
【０００４】
このポンプディスペンサーでは、ノズルヘッドに掛ける圧力を、硬質の吸引ホースで受け、吸引ホース先端は、紙容器の底面で受け、容器の置かれたテーブル等に圧力を伝える為、トップ面板の変形は無い。
しかし、内容物は、シャンプー、ボディソープ、住宅洗剤などの粘性のある内容物が収納されている場合が多い。このような内容物は、容器の底面板と吸引ホース先端との摩擦力は非常に低い。
この為、吸引ホース先端が平らな底面板に当接し、圧力を掛けると、わずかな垂直線からのズレであっても、吸引ホース先端は滑って、横方向にずれていってしまい、ノズルヘッドをしっかり押圧できず、ポンプを確実に作動させることができなかった。吸引ホース先端が横に滑り、底面板で受圧できないと、上面板に圧力が掛かって容器の上部が座屈したり、変形したりして、注出できない事態が発生する。
吸引ホール先端の径を大きくした例も考えられるが、ポンプディスペンサーの高さが余程低くないと、対策にはならず、確実に吸引ホース先端に圧力を加えることができないといった問題があった。
【先行技術文献】
【特許文献】
【０００５】
【特許文献１】特開平８−８５５６１号公報
【発明の概要】
【発明が解決しようとする課題】
【０００６】
そこで、取り付けたポンプディスペンサーが、ノズルヘッドを押圧によって、確実に内容物を注出可能とする包装容器とすることが、本発明の課題である。
【課題を解決するための手段】
【０００７】
本発明は、内部と外部との気圧差がなくても、内容液の残存量によらず形状を維持できる程度の剛性を有する容器本体と、
該容器本体に、該容器本体の上部に形成された貫通孔に挿入されて取り付けられるポンプディスペンサーとから構成されており、
該ポンプディスペンサーは、ポンプ部および支持部材から構成されており、
該ポンプ部の上部には鉛直方向下方へ向かって押し下げることにより、内容液のくみ出しが可能なポンプヘッドと、それに接続するピストン、およびシリンダ部を備えており、
該ポンプディスペンサーが、該容器本体に取り付けられた状態において、該容器本体の内部に配置され、該ポンプ部から下方に延伸し、容器本体下部に到達する、支持部材を備え、
該支持部材下部からは、内容液の吸引、ポンプ部への送り出しが可能であって、
該支持部材が当接する底面板は、ポンプ押圧の圧を底面板下方で受圧可能とする段差付受圧部を有することを特徴とする包装容器である。
【発明の効果】
【０００８】
本発明の包装容器は、容器下端の底面板に、ポンプディスペンサーの支持部材先端が当接し、ポンプ押圧の圧を底面板下方で受圧可能とする段差付受圧部を有している。この段差付受圧部によって、ノズルヘッドが押圧された時、その圧力は、容器天面板には掛からず、底面板に圧力が掛かると共に、支持部材先端が段差付受圧部によって位置がずれないで、確実に底面板に圧を伝えるので、安定してポンプディスペンサーから内容物を注出可能となる。
【図面の簡単な説明】
【０００９】
【図１】本発明の包装容器の第１実施形態例を示す縦断面図である。
【図２】本発明の包装容器で、第１実施形態例における紙容器本体の展開図と、その外観を示す斜視図である。
【図３】本発明の包装容器の他の実施形態例における支持部材先端が当接する容器を示す断面図である。
【図４】本発明の包装容器で、支持部材先端が当接する容器の各種実施例と比較例を示す断面図である。
【図５】本発明の包装容器に使用する注出口と、ポンプディスペンサーの外観を示す斜視図である。
【図６】ポンプディスペンサーのノズルヘッドを押圧して内容物を注出する工程と、ノズルヘッドが上昇し、内容物をポンプ筒内に吸引する工程を示す縦断面図である。
【図７】従来技術の包装容器で、ポンプディスペンサーのノズルヘッドを押圧し、支持部材先端が底面板上を滑った状況を示す断面図である。
【発明を実施するための形態】
【００１０】
以下、本発明の包装容器の実施の形態例について、図を用いて詳細に説明する。ただし本発明は、ここに示す例にのみ限定されるものではない。本発明は、請求項によって限定されるものである。
図１は、本発明の包装容器で、６面体の箱型形状であり、紙を基材とする容器であって、
第１実施形態例を示す縦断面図である。この容器本体１は、内部と外部との気圧差がなくても、内容液の残存量によらず形状を維持できる程度の剛性を有する、セミリジッドな容器である。
この第１実施形態例の容器本体１は紙を基材とし、少なくとも内面に熱可塑性樹脂からなるシーラント層を有す積層シートを使用した箱型からなる包装容器の実施形態例である。包装容器上端の上面板１１には、図５−１に示すようなフランジ１１１３を有する注出口１１１を介して、ポンプディスペンサー２を取り付け可能になっている。注出口１１１には、ポンプディスペンサーの支持部材やポンプ部のポンプ筒を通す注出孔１１１０や、ポンプディスペンサーのキャップと螺合して止める雄ネジ部１１１２、ポンプ筒のフランジをキャップと共に固定する注出筒１１１１を有している。
また、包装容器本体１の底面板１３が内側に突き出した段差を有し、ポンプディスペンサー２の内側先端となる支持部材先端２４０が当接する段差付受圧部１６１となっている。
【００１１】
図５−２に、ポンプディスペンサー２の斜視図を示す。
ポンプディスペンサー２は、ポンプ部２０と支持部材２４とからなり、ポンプ部２０は上から順に、ノズルヘッド２１、キャップ２２、ポンプ筒２３、により構成されている。
ノズルヘッド２１には、押し易い一定の面積を持つヘッド部２１１と、細い筒状の注出ノズル２１２と、があって、下方のポンプ筒２３に内部で連通している。
キャップ２２は、ポンプ筒２３の外側にあって、ポンプディスペンサー２を注出口に固定させる。内側に雌ネジがあって、注出口１１１に螺合し、外側には、回転させ易いように、ローレットを付けて、強い力で螺合可能としている。
ポンプ筒２３は、上方に上弁、下方に逆止弁があり、上弁と逆止弁との間にコイルスプリングが内蔵し、その間を内容物で満たして使用される。
支持部材２４は、下方に伸びる硬質の筒で、下方の一部に切り欠き２４１を設け、支持部材先端２４０が容器本体底面板に当接しても、吸引通路が閉鎖しないようにしておくことが望ましい。また、下端近傍のみ、径を大きくしておくと、吸引性も、安定性も良く、上下で径の異なった筒を嵌め合わしたような支持部材であってもかまわない。
【００１２】
内容物５を注出する時には、図６−１の縦断面図に示すように、ポンプディスペンサー２先端のノズルヘッド２１を押圧し、ノズルヘッド２１を下方に押して沈み込ませる。この時、ポンプ筒２３内部のスプリング２５を圧縮し、ポンプ筒２３内部の上弁２６を同時に下方に移動させるが、下方の逆止弁２７が閉じているので、先にポンプ筒２３内部に入っていた内容物５が、ノズルヘッド２１先端から注出される。
この時、ノズルヘッド２１を押圧することによって内容物を注出するので、スプリングに抗してノズルヘッド２１を押し下げる押圧は大きく、それを注出口１１１のフランジで受け、さらに、その圧を上面板で受ける場合には、上面板が大きく変形してしまうので、本発明では、底面板１３で、ノズルヘッド２１の押圧を受ける。
【００１３】
ノズルヘッド２１の押圧を止め、ノズルヘッド２１から手を離すと、図６−２の縦断面図に示すように、ポンプ部２０内部では、スプリング２５によって、ノズルヘッド２１は上方に移動する。この時、下方に移動していた上弁２６も閉じて上方に移動し、ポンプ内部が陰圧になるので、下方の逆止弁２７が開いて、支持部材２４を通して、容器内部の内容物５を吸い込み、ポンプ筒２３内部に充填される。
【００１４】
図２−１は、本発明の包装容器で、第１実施形態例における紙容器本体１を形成するブランク１０の展開図である。
この紙容器本体のブランク１０は、紙を基材とし、内面、外面に熱可塑性樹脂からなるシーラント層を有す積層シートからなる。もちろん、内側には内容物の劣化を防止するバリア層や、エンボス加工で破断しにくいよう、ポリアミド層などの伸びやすい層を設けることが望ましい。
融着する面を、表側、裏側を異なる傾斜角度の斜線によって示した。
【００１５】
第１実施形態例のブランク１０は、右中央に上面板１１があって、罫線を介し、上面板１１の周囲に上前面板１２、上後面板１４、上左板１５が繋がっていて、上右板１３は融着面板を介して上面板１１に繋がり、かつ、それぞれの側面板に融着面板が繋がっている。
右中央には底面板１６があって、その周囲に下前面板１２１、下右板１３１、下後面板１４１、下左板１５１が繋がり、かつ、それぞれの側面板にも融着面板が繋がっている。
側板の周囲は上面側と底面側とは、それぞれの融着面板によって融着してから折り込まれる。
上面板１１や上前面板１２、上後面板１４と融着する左端部の融着面板は、一部を一旦外側に折り畳んで端面処理し、基材端部が内側に露出しないようにすることが望ましい。
底面板１６は、エンボス加工によって、段差付き受圧部１６１周囲を容器の内側に突出させるよう成形しておく。
【００１６】
第１実施形態例の液体用紙容器本体の形状をつくるには、先に、ブランク１０の上面板１１中央に開口孔１１０をプレスして開口する。その開口孔１１０に注出口１１１を内側から挿入し、注出口１１１のフランジを開口孔１１２内側周縁のシーラントに融着しておく。
開口孔１１０を開口する時に、底面板１６に段差付受圧部１６１周縁の段差を熱圧プレス等で成形すると良い。
次に、ブランク１０の側板の周囲は上面側と底面側とは、それぞれの融着面板によって融着する。すなわち、左端部の融着面板は、一部を一旦外側に折り畳んで端面処理し、基材端部が内側に露出しないようにし、これを上面板１１や、上前面板１２、上後面板１４と融着し、一旦筒状にする。
さらに、上面板１１と底面板１６との内面が向かい合うように折り畳み、上前面板１２と下前面板１２１、上右板１３と下右板１３１、上後面板１４と下後面板１４１、上左板１５と下左板１５１、それぞれに繋がる融着面板等を融着し、下方に折り曲げる。
この時、側面板の角になる上左前折込板１５２と下左前折込板１５４、上右前折込板１３２と下右前折込板１３４、上左後折込板１５３と下左後折込板１５１、上右後折込板１３３と下右後折込板１３１、が、重ね合わせて融着し、さらに側面板に融着、固定する。
このことによって、断面が四角形の箱形状とすることができる。
このようにして、融着しながら折り込まれた包装容器本体１は、注出口にポンプディスペンサーを螺合して取り付ける。
【００１７】
図２−２は、本発明の包装容器の第１実施形態例における包装容器の外観を示す斜視図である。
包装容器は、容器本体１にポンプディスペンサー２が取り付けられている。この図では、上面板１１の中央にポンプディスペンサー２が取り付けられているが、ノズル先端が、紙容器の天面板１１よりも外側に出すよう、片寄せた位置にずらしても良い。その場合は、底面板１３の段差付き受圧部の位置もずらす必要がある。
【００１８】
図３−１は、底面板１３の段差付受圧部１３１の別の実施形態例で、支持部材先端２４０の当接部中央に、支持部材先端２４０の内径よりやや小さな外径のエンボス突起１３１１を突出させるよう成形した段差付受圧部１３１の例である。
この時、図のように、支持部材先端２４０の内径角を立てると好ましい。
【００１９】
図３−２は、底面板１３の段差付受圧部１３１の別の実施形態例で、支持部材先端２４０の当接部周囲に、プラスチックの位置決め突起成形品を融着した段差付受圧部１３１の例である。
射出成形品でも良いが、圧縮成形品やプレス品、真空成形等の部材であってもかまわないし、ホットメルト材を成形した部材であってもかまわない。
材質としては、内層のシーラントと融着可能な熱可塑性樹脂が好ましい。
【００２０】
本発明の包装容器に使用するブランクの積層シートの構成は、最外面と最内面に熱可塑性樹脂を用い、基材として、紙を使用したものでもかまわないが、内容物の保存性能を高めるように、層構成中にバリア層を加え、ポリエチレンテレフタレート層、または、酸化珪素やアルミニウムなどの蒸着層を持つポリエチレンテレフタレートフィルムを含有する層を有する構成や、そのポリエチレンテレフタレート層の内側にシーラント層を設けている構成であってもよい。
また、エンボス加工で、高圧のプレスを行なう為、そのエンボス加工によってフィルム層が破断しにくいように、ポリアミド樹脂層などを層間に加える構成であっても良い。
すなわち、一般的な積層シートの構成例としては、表側からインキ層／表シーラント層／紙基材層／サンドポリオレフィン系樹脂層／バリア層／接着剤層／裏シーラント層のような構成が考えられる。
【００２１】
ここで、表シーラント層は、（高圧法）低密度ポリエチレン、又は直鎖状低密度ポリエチレンで、紙基材層に対し、Ｔダイ押出し機の押出し加工により溶融樹脂を押し出しながら貼り合せる。
表シーラント層の表面をコロナ放電処理して、表側に印刷してインキ層を形成する。
【００２２】
紙基材層は、坪量２００〜５００ｇ／ｍ２、密度０．６〜１．１ｇ／ｃｍ３の範囲の紙を使用する。
サンドポリオレフィン系樹脂層は、紙基材層とバリア層の間にＴダイ押出し機の溶融樹脂を押し出しながら貼り合せる。
貼り合せるサンドポリオレフィン系樹脂は、高密度ポリエチレン、中密度ポリエチレン、直鎖状低密度ポリエチレン、（高圧法）低密度ポリエチレン、ポリプロピレン、エチレン・プロピレン共重合体、エチレン・メタアクリル酸共重合体、エチレン・アクリル酸共重合体、アイオノマーなどの樹脂が使用できる。厚みは１０〜６０μｍとする。
紙基材やバリア層フィルムに、コロナ放電処理、オゾン処理、アンカーコートなどの前処理を行なって、接着強度を高めて貼り合せてもよい。
【００２３】
バリア層は、ポリエチレンテレフタレートフィルムやポリアミドフィルムに酸化金属を５〜１００ｎｍ蒸着したバリアフィルムが使用できる。酸化金属としては、酸化アルミニウム、酸化珪素などが使用でき、フィルムは６〜２５μｍのものが使用しやすい。
その他、上記フィルムに、アルミニウム蒸着したフィルムや、アルミニウム箔を貼り合せたフィルムであっても良い。アルミニウム箔の場合、５〜１５μｍのものが使用しやすい。
【００２４】
バリア層と裏シーラント層を接着する接着剤は、ドライラミネート用接着剤や、ノンソルベント系ラミネート用接着剤を０．５〜７．０ｇ／ｍ２の塗工により、ドライラミネート機で貼り合せできる。接着剤の代わりに、上記サンドポリオレフィン系樹脂を使用し、Ｔダイ押出機で成膜しながら貼り合せてもかまわない。
【００２５】
裏シーラント層は、高密度ポリエチレン、中密度ポリエチレン、直鎖状低密度ポリエチレン、（高圧法）低密度ポリエチレン、が使用できる。成形はＴダイ押出機や、インフレーション機を用い、押出し成形し、厚みは３０〜１００μｍがよい。
【００２６】
注出口の材質は、耐ストレスクラッキング性も高く、内容物からの影響を受けにくい材料で、かつ、剛性が適度にあり、裏シーラント層に融着しやすい事が必要である。
また、挿嵌性から、ポンプディスペンサーに使用するキャップとは材質を変えることが好ましい。
注出口に使用可能な材料は、高圧法の低密度ポリエチレンの他、直鎖状低密度ポリエチレン、中密度ポリエチレン、低密度と高密度ポリエチレンの混合樹脂、アイオノマー樹脂、エチレン酢酸ビニル共重合体を上記に添加、混合した樹脂などである。その中でも、直鎖状の低密度ポリエチレンが好ましい。以上の注出口の材料は、射出成形で成形される。
【実施例】
【００２７】
図４に、実施例や比較例として評価した、底面板における段差付受圧部の縦断面図を示した。
【００２８】
＜実施例１＞
包装容器を紙容器とし、容器本体として、図２−１に示すブランクを使用し、縦１００ｍｍ、横１００ｍｍ、高さ１２０ｍｍの包装容器本体を作成した。
ブランクの構成は、表側からインキ層／表シーラント層／紙基材層／サンドポリオレフィン系樹脂層／バリア層／接着剤層／裏シーラント層で、
紙基材層として、坪量４００ｇ／ｍ２、密度０．９７ｇ／ｃｍ３を使用。
表シーラント層は、直鎖状低密度ポリエチレンを、Ｔダイ押出し機の押出し加工により溶融樹脂を押し出しながら紙基材層に貼り合せた。
バリア層は、厚さ１８μｍのポリエチレンテレフタレートフィルムに、酸化珪素を８０ｎｍ蒸着したバリアフィルムが使用。
サンドポリオレフィン系樹脂層は、紙基材層とバリア層の間にＴダイ押出し機の溶融直鎖状低密度ポリエチレン樹脂を１８μｍで押し出しながら貼り合せた。
裏シーラント層は、厚さ５０μｍのインフレーション機で押し出した直鎖状低密度ポリエチレンフィルムを使用し、１２μｍで押出した低密度ポリエチレン樹脂をサンドポリエチレンとしてＴダイから押出して貼り合せ、ブランクの積層シートを得た。
ブランクは、これをビク刃で図２−１の形状に抜き、注出口を融着した後、折り線に沿って折り曲げて融着、成形し、図２−２に使用した容器本体を作成した。
段差付受圧部１３１は、図４−１の形状で、ビク刃でブランクを製造する前に、熱プレス機で、段差付受圧部１３１の範囲を押し潰し加工した。
内容物としてボディシャンプー８００ｍｌを注出口より充填し、図５−２で示したポンプディスペンサーを注出口に螺嵌し、実施例１の包装容器とした。
【００２９】
＜実施例２＞
包装容器を紙容器とし、容器本体の底面板１３における段差付受圧部１３１を、図４−２の形状で、ビク刃でブランクを製造する前に、熱プレス機で、段差付受圧部１３１周縁が高くなるように、浮き上げ加工した。
その他は、実施例１と同様に製造し、ボディシャンプー８００ｍｌを注出口より充填し、図５−２で示したポンプディスペンサーを注出口に螺嵌し、実施例２の包装容器とした。
【００３０】
＜実施例３＞
包装容器を紙容器とし、容器本体の底面板１３内面における段差付受圧部１３１を、図４−３の形状で、ビク刃でブランクを製造する前に、熱プレス機で、段差付受圧部１３１範囲が周縁に比べ低くなるように、浮き下げ加工した。
その他は、実施例１と同様に製造し、ボディシャンプー８００ｍｌを注出口より充填し、図５−２で示したポンプディスペンサーを注出口に螺嵌し、実施例３の包装容器とした。
【００３１】
＜比較例１＞
包装容器を紙容器とし、容器本体の底面板１３における支持部材先端２４０が当接する受圧面を、図４−４のように平坦のまま、加工しなかった。
その他は、実施例１と同様に製造し、ボディシャンプー８００ｍｌを注出口より充填し、図５−２で示したポンプディスペンサーを注出口に螺嵌し、比較例１の包装容器とした。
【００３２】
＜評価方法＞
ボディシャンプー８００ミリリットルを充填した包装容器を各種実施例、比較例共、それぞれ１０個ずつ作成し、男女５人ずつ、１０人で評価した。
それぞれの包装容器について、１個ずつ、水平なテーブルの上に置き、ポンプディスペンサーのポンプヘッドを確実に一番下まで押して内容物を注出し、５秒間待って、確実にポンプヘッドが最上位置に戻してから、再度、次の押しを行なう、という手順で、内容物のボディシャンプーを、２０回ずつ、注出作業を行なった。
内容物のボディシャンプーを注出した時、ポンプディスペンサーが確実に垂直な状態を保持し、ポンプヘッドを押す力が、注出に寄与できるか、注出評価を行った。
それぞれ、問題がなく、良好な注出ができたと判断した人の数で、評価した。
【００３３】
＜包装容器注出評価試験結果＞
実施例１、実施例２、実施例３共、内容物を押し出す時に、ポンプディスペンサーが傾くなどの問題はなく、良好な注出ができた。
しかし、比較例１では、内容物を押し出す時に、図７のように、容器の底面部で、支持部材先端が滑って、天面板が変形してしまうなどの問題が発生し、良好だと判断した人は、１０人中わずか一人だけだった。
【００３４】
以上の結果から、比較例１に比べ、本発明の包装容器では、底面板に段差付受圧部を加工することによって、ポンプディスペンサーを押圧する力を、確実に底面板で受けることができるので、安定して注出可能になることが確認された。
【００３５】
【表１】
2019077495.tif 000003
【００３６】
本発明の包装容器は、以上のようなもので、ポンプディスペンサーの支持部材を強度の高い硬質のチューブを使用し、容器下端の底面板に、ポンプディスペンサーの支持部材先端を当接させ、かつ、ポンプ押圧の圧を底面板下方で受圧可能とする段差付受圧部を有している。
この段差付受圧部によって、内容物を注出する時に、ノズルヘッドが押圧するが、その圧力は、包装容器天面板には掛からず、底面板に圧力が掛かる。この時、支持部材先端が段差付受圧部によって位置がずれないで、確実に底面板に圧を伝えるので、安定してポンプディスペンサーから内容物を注出可能となる。
その分、使用する包装容器の素材の剛性を上げる必要も無い。
しかも、包装容器を紙容器とした場合、ブランクを成型機で製造する時に、合わせて底面板部分にエンボス加工を加えるだけで済むので、価格もほとんど上昇せず、通常の汎用機を使用して製造でき、低価格で、量産性も高いなど、本発明の包装容器のメリットは大きい。
【符号の説明】
【００３７】
１・・・・・・・・・容器本体
１０・・・・・・・・ブランク
１１・・・・・・・・上面板
１１０・・・・・・・開口孔
１１１・・・・・・・注出口
１１１０・・・・・・注出孔
１１１１・・・・・・注出筒
１１１２・・・・・・雄ネジ部
１１１３・・・・・・フランジ
１２・・・・・・・・上前面板
１２１・・・・・・・下前面板
１３・・・・・・・・上右板
１３１・・・・・・・下右板
１３２・・・・・・・上右前折込板
１３３・・・・・・・上右後折込板
１３４・・・・・・・下右前折込板
１３５・・・・・・・下右後折込板
１４・・・・・・・・上後面板
１５・・・・・・・・上左板
１５１・・・・・・・下左板
１５２・・・・・・・上左前折込板
１５３・・・・・・・上左後折込板
１５４・・・・・・・下左前折込板
１５５・・・・・・・下左後折込板
１６・・・・・・・・底面板
１６０・・・・・・・窪み
１６１・・・・・・・段差付受圧部
１６１１・・・・・・エンボス突起
２・・・・・・・・・ポンプディスペンサー
２０・・・・・・・・ポンプ部
２１・・・・・・・・ノズルヘッド
２１１・・・・・・・ヘッド部
２１２・・・・・・・注出ノズル
２２・・・・・・・・キャップ
２３・・・・・・・・ポンプ筒
２４・・・・・・・・支持部材（吸引チューブ）
２４０・・・・・・・支持部材先端
２４１・・・・・・・切り欠き
２５・・・・・・・・スプリング
２６・・・・・・・・上弁
２７・・・・・・・・逆止弁
５・・・・・・・・・内容物
【図１】
2019077495.tif 000004
【図２】
2019077495.tif 000005
【図３】
2019077495.tif 000006
【図４】
2019077495.tif 000007
【図５】
2019077495.tif 000008
【図６】
2019077495.tif 000009
【図７】
2019077495.tif 000010